(57)【要約】【課題】  部材の孔部を塗装等の表面処理から保護するためのマスキング材を提供する。【解決手段】  マスキング材１０は、部材１に設けられている孔部５と、その内周面６の所定の被保護部分８と、を保護するものであって、上記孔部５の平面形状に適合する平面形状を有する本体部１１と、上記本体部１１から該孔部５の奥側に向けて延設され、該孔部５の内周面６の被保護部分８の形状に適合する外面形状を有する内周面被覆部１２と、からなるものである。【選択図】      図５
2013043104.tif 000002
【特許請求の範囲】
【請求項１】
部材に設けられている孔部と、該孔部の内周面の所定の被保護部分と、を保護するマスキング材であって、
上記孔部の平面形状に適合する平面形状を有する本体部と、
上記本体部から該孔部の奥側に向けて延設され、該孔部の内周面の被保護部分の形状に適合する外面形状を有する内周面被覆部と、
からなる
ことを特徴とするマスキング材。
【請求項２】
上記本体部と、上記内周面被覆部と、は、一体的に形成されている
請求項１に記載のマスキング材。
【請求項３】
上記本体部の周りにシート状の上記内周被覆部を接合してなる
請求項１に記載のマスキング材。
【請求項４】
上記本体部の平面形状および上記内周面被覆部の外面形状は、
上記孔部の平面形状および上記孔部の内周面の被保護部分形状に関するＣＡＤデータに基づいて設計される
請求項１から請求項３の何れか一項に記載のマスキング材。
【発明の詳細な説明】
【技術分野】
【０００１】
本発明は、例えば自動車に取り付けるバンパーの空気取入れ口を塗装等の表面処理から保護するためのマスキング材に関するものである。
【背景技術】
【０００２】
従来、上記バンパーの空気取入れ口等のような孔部を有する部材は、塗装等の表面処理に際して、該表面処理が該孔部に及ぼされないように、該孔部にマスキング材を挿着して保護することが行われており、該マスキング材は孔部の形状に適合させるべく、複数のパーツを組み合わせたり、真空・圧空成形で形成されたりしている（例えば特許文献１〜３参照）。
【先行技術文献】
【特許文献】
【０００３】
【特許文献１】特開平５−７８０７号公報
【特許文献２】特開平７−１４４１６１号公報
【特許文献３】特開平９−３１４００７号公報
【発明の概要】
【発明が解決しようとする課題】
【０００４】
上記部材の塗装は、一般的にスプレー塗装によって行われており、その場合にはスプレー塗装によって発生するミストが上記孔部の表側から侵入して、該孔部の内周面を汚染してしまうと云う問題がある。特に、孔部の内周面の一部のみが被保護部分となっている場合には、被保護部分とそうでない部分との境界の形状が把握しづらくなるので、上記マスキング材のパーツの組み合わせ、あるいは真空・圧空成形に要する手間が煩雑になる傾向があった。
【課題を解決するための手段】
【０００５】
本発明は上記従来の問題点を解決することを目的とし、部材に設けられている孔部と、該孔部の内周面の所定の被保護部分と、を保護するマスキング材であって、上記孔部の平面形状に適合する平面形状を有する本体部と、上記本体部から該孔部の奥側に向けて延設され、該孔部の内周面の被保護部分の形状に適合する外面形状を有する内周面被覆部と、からなるマスキング材を提供するものである。
上記マスキング材にあっては、上記本体部と、上記内周面被覆部と、は、一体的に形成されているか、上記本体部の周りにシート状の上記内周被覆部を接合してなるか、いずれの構成が採用されてもよい。
上記本体部の平面形状および上記内周面被覆部の外面形状は、上記孔部の平面形状および上記孔部の内周面の被保護部分形状に関するＣＡＤデータに基づいて設計されることが望ましい。
【発明の効果】
【０００６】
〔作用〕
本発明のマスキング材１０は、部材１の孔部５に挿着して使用する。この状態で該孔部５は、該マスキング材１０の本体部１１によってスプレー塗装等の表面処理が内部に侵入することを防止される。
スプレー塗装等の表面処理によって発生するミスト等が該部材１の表面側から該孔部５の内周面へ回り込もうとする場合、該孔部５の内周面６の被保護部分８は、該被保護部分８の形状に適合する外面形状を有する内周面被覆部分１２によって被覆保護されているから、該ミスト等による汚染が防止される。
【０００７】
〔効果〕
本発明にあっては、部材の孔部およびその内周面の所定個所が、表面処理から確実に保護される。
【図面の簡単な説明】
【０００８】
【図１】部材としてのバンパーの斜視図。
【図２】空気取入れ口の側断面図。
【図３】実施例のマスキング材の斜視図。
【図４】マスキング材の側面図。
【図５】マスキング材を挿着した状態の空気取入れ口の側断面図。
【図６】マスキング材を取り外した後の空気取入れ口の側断面図。
【図７】他の実施例で内周面被覆部を一部切り欠いた状態のマスキング材の斜視図。
【図８】他の実施例のマスキング材を挿着した状態の空気取入れ口の側断面図。
【発明を実施するための形態】
【０００９】
本発明を図１〜図６に示す一実施例によって以下に詳細に説明する。
図１に示すのは、自動車のバンパー１であり、該バンパー１は、上側部分２と、該上側部分２から段差部３を介し若干奥側に段設して形成されている下側部分４と、からなる。該下側部分４には、孔部として左右一対の空気取入れ口５，５が設けられている。
【００１０】
図２に示すように、上記空気取入れ口５の内周面６には、段部７が設けられており、該段部７の外側部分が塗装によるミストの汚染から保護されるべき被保護部分８とされており、該段部７の奥側部分９は塗装によるミストの汚染があってもよい部分とされている。
【００１１】
図３及び図４には、上記空気取入れ口５を保護するマスキング材１０が示されている。
上記マスキング材１０は、例えばポリスチレン発泡体等のプラスチック発泡体からなり、上記空気取入れ口５の平面形状に適合する平面形状の本体部１１と、上記空気取入れ口５の内周面６で被保護部分８の形状に適合する外面形状を有する内周面被覆部分１２と、からなり、上記本体部１１の外表面には、つまみ１３，１３が一体的に形成されている。
【００１２】
上記マスキング材１０は、図５に示すように、上記バンパー１の空気取入れ口５に挿着される。該マスキング材１０の本体部１１は、該空気取入れ口５の開口部分を被覆保護し、該マスキング材１０の内周面被覆部分１２は、該空気取入れ口５の内周面６の被保護部分８を被覆保護する。
この状態で、上記マスキング材１０には、上記バンパー１の表面側からスプレー塗装を施した場合、上記マスキング材１０の空気取入れ口５の開口部分は、上記マスキング材１０の本体部１１によって被覆保護されているから、塗装は施されない。
また塗装によるミストが該マスキング材１０の奥側から侵入しても、該マスキング材１０の内周面被覆部分１２によって該ミストが上記空気取入れ口５の内周面６の被保護部分８を汚染することが防止される。
【００１３】
塗装後は、上記マスキング材１０を、所望なればつまみ１３を介して上記空気取入れ口５から取り外せば、図６に示すように、該空気取入れ口５の内部には塗装が施されず、また内周面６の被保護部分８は、塗料ミストによって汚染されていない状態となる。
【００１４】
図７には、本発明の他の実施例が示されている。
本実施例のマスキング材２０の本体部２１は、例えばダンボール、あるいはポリスチレン発泡体等のプラスチック発泡体の板、あるいはダンボールとプラスチック発泡体の板との積層板等からなり、内周面被覆部分２２は、例えばポリエチレンフィルム、ポリプロピレンフィルム、ポリエステルフィルム等のプラスチックフィルムからなる。
上記内周面被覆部分２２は、上記本体部２１の外周面に、例えば接着剤、粘着剤、粘着テープ、あるいはタッカー等によって固定される。
上記マスキング材２０も、図８に示すように、上記バンパー１の空気取入れ口５に挿着され、本体部２１によって該空気取入れ口５の開口部分を被覆保護し、上記内周面被覆部分２２によって該空気取入れ口５の被保護部分８を被覆保護する。
【００１５】
本発明のマスキング材１０，２０は、バンパー１のＣＡＤデータから空気取入れ口５の平面形状および内周面形状を取り出し、上記取り出したＣＡＤデータ（特に内周面形状は展開形状）に基づいて、本体部１１，２１の形状および内周面被覆部分１２，２２の形状を設計することが望ましい。
図３に示すマスキング材１０にあっては、上記ＣＡＤデータに基づいて設計された成形型を使用し、発泡性プラスチックビーズの発泡成形によって製造される。即ち、該マスキング材１０によれば、本体部１１と内周面被覆部分１２とを、複数の部材を組み合わせたり、貼り合わせたりすることなく、成形型を使用するのみで、一体的に形成することができ、大量生産することができるという利点を有する。
図７に示すマスキング材２０にあっては、本体部２１、内周面被覆部分２２共に、上記ＣＡＤデータに基づいて設計された打ち抜き型で打ち抜くことによって製造される。即ち、該マスキング材２０によれば、コストを要する成形型を必要とせず、また組み立ても本体部２１の外周面に内周面被覆部分２２を巻き付けるようにして貼着するという極めて簡易なものであるため、該マスキング材２０を安価に形成することができるという利点を有する。
【産業上の利用可能性】
【００１６】
本発明のマスキング材は、部材の孔部を高信頼度で塗装等から保護することが出来、製造も簡単であるから、産業上利用可能である。
【符号の説明】
【００１７】
１        バンパー
５        空気取入れ口
６        内周面
８        被保護部分
１０，２０  マスキング材
１１，２１  本体部
１２，２２  内周面被覆部分
【図１】
2013043104.tif 000003
【図２】
2013043104.tif 000004
【図３】
2013043104.tif 000005
【図４】
2013043104.tif 000006
【図５】
2013043104.tif 000007
【図６】
2013043104.tif 000008
【図７】
2013043104.tif 000009
【図８】
2013043104.tif 000010